(57)【要約】【課題】色調だけでなく、色彩も一方向に変化し、看者に対して美しくてインパクトのある印象を与えることができるグラデーション印刷を可能にした印刷方法を提供することを課題としている。【解決手段】基材１が備える有色下地面３上に、観察角度によって色彩変化を生じるインキを用いて網点印刷を行って網点印刷層４を形成し、この際の網点印刷を、網点印刷層４が占める面積の割合が一方向に変化して有色下地面３の露出面積が一方向に漸減するように行うグラデーション印刷方法となした。【選択図】図１
2014000749.tif 000002
【特許請求の範囲】
【請求項１】
基材（１）が備える有色下地面（３）上に、観察角度によって色彩変化を生じるインキを用いて網点印刷を行って網点印刷層（４）を形成し、
この際の網点印刷を、前記網点印刷層（４）が占める面積の割合が一方向に変化して前記有色下地面（３）の露出面積が一方向に漸減又は漸増するように行うグラデーション印刷方法。
【請求項２】
前記基材（１）の表面に、べた刷りによる下地印刷層（２）を予め設け、その下地印刷層（２）を前記有色下地面（３）となす請求項１に記載のグラデーション印刷方法。
【請求項３】
前記下地印刷層（２）の印刷を、紫外線硬化型インキを用いて行う請求項２に記載のグラデーション印刷方法。
【請求項４】
請求項１〜３のいずれかに記載のグラデーション印刷方法で基材（１）の表面に印刷が施された印刷物であって、印刷面の色調と色彩が変化するグラデーション印刷物。
【請求項５】
請求項４に記載のグラデーション印刷物が蒸着紙、普通紙又はプラスチックシートを基材にしてその基材に印刷を施してなり、そのグラデーション印刷物をブランク材にしてそのブランク材を裁断後に組み立てて作られた包装用パッケージ。
【発明の詳細な説明】
【技術分野】
【０００１】
この発明は、色調と色彩が一方向に変化し、さらに、観察の方向によっても色彩変化を生じて特異な美麗感が得られるグラデーション印刷の方法とその方法で印刷を行ったグラデーション印刷物に関する。
【背景技術】
【０００２】
グラデーション印刷の方法として、グラデーション柄を設けた版を用いてグラビア輪転印刷を行う方法（下記特許文献１参照）や、スクリーンに感光性樹脂を塗布し、その樹脂を、ランダムパターン模様の描かれたフィルムを密着させた状態で露光、硬化させ、非露光部を洗い流したグラデーションスクリーン印刷版を使用して印刷を行う方法（下記特許文献２参照）が知られている。
【０００３】
また、印刷のパターン部を形成した１枚のスクリーン版上にグラデーション方向に沿って基本色インキと透明メジウムインキとを隣り合わせに載置し、そのインキをグラデーション方向と垂直方向に移動するスキージでのばし、かかるステップを繰り返すことでグラデーション印刷を行う方法（下記特許文献３参照）も知られている。
【先行技術文献】
【特許文献】
【０００４】
【特許文献１】特開平６−１４３７８７号公報
【特許文献２】特開平８−１５０７７２号公報
【特許文献３】特開２００５−２１９３０７号公報
【発明の概要】
【発明が解決しようとする課題】
【０００５】
特許文献１や特許文献３の方法によるグラデーション印刷物は、色彩が単調であり、看者に対して美しくてインパクトのある印象を与えることができない。
【０００６】
また、特許文献２が段落０００６で述べているように、印刷インキに光輝性材料を添加することでグラデーション印刷物に対してスパークリング効果（きらきら感）を付与することができるが、特許文献２が開示しているスクリーン印刷装置よる印刷でも、特異な色彩変化を生じさせることはできず、看者に対して記憶に残る印象を与えるのが難しい。
【０００７】
この発明は、色調だけでなく、色彩も一方向に変化し、それにより、看者に対して美しくてインパクトのある印象を与えることができるグラデーション印刷を可能にした印刷方法と、その方法で印刷して得られる装飾効果に優れたグラデーション印刷物を提供することを課題としている。
【課題を解決するための手段】
【０００８】
上記の課題を解決するため、この発明においては、基材が備える有色下地面上に、観察角度によって色彩変化を生じるインキを用いて網点印刷（シルクスクリーン印刷。点字印刷とも称されている）を行って網点印刷層を形成し、
この際の網点印刷を、前記網点印刷層が占める面積の割合が一方向に変化して前記有色下地面の露出面積が一方向に漸減する（反対方向から見れば漸増する）ように行うグラデーション印刷方法を提供する。
【０００９】
ここで言う、観察角度によって色彩変化を生じるインキは、市販のインキでよい。その市販のインキについては、後に詳しく説明する。
【００１０】
印刷を行う基材は、普通紙、表面に金属の蒸着層が設けられている蒸着紙、金属箔、樹脂のシート、樹脂フィルム、金属板、ＣＤやＤＶＤ、樹脂や金属で形成された筐体など、多種多様なものが考えられる。
【００１１】
基材の有色下地面は、基材が、例えば着色樹脂で形成されている場合には、その基材の表面をそのまま下地面として使用することができる。基材が蒸着紙や普通紙、或いは、透明樹脂シートや透明樹脂板などである場合には、基材の表面に、べた刷りによる下地印刷層を予め設け、その下地印刷層上に、観察角度によって色彩変化を生じるインキを使用して網点印刷を行う。
【００１２】
この際の下地印刷層の印刷は、紫外線硬化型インキ（以下、ＵＶインキと言う）を用いて行うと好ましい。
【００１３】
この発明は、上述したこの発明のグラデーション印刷方法で基材の表面に印刷が施された印刷物も併せて提供する。その印刷物は、印刷面の色調と色彩が一方向に変化する。そしてその変化が観察角度の違いや光の当たり具合の変化によっても起こる。
【００１４】
そのために、看者に対して美しくて変化に富んだ印象を与えることができ、装飾効果に優れる。
【００１５】
この発明のグラデーション印刷物の一例として、例えば、包装用パッケージのブランク材やポスターなどを挙げることができる。蒸着紙、普通紙又はプラスチックシートを基材にしてその基材にこの発明の方法で網点印刷を施して得られるブランク材を裁断後に組み立ててできる包装用パッケージは、品が良くて化粧品などを収納、陳列するのに適しており、包装した物品の高級感を高めるのに役立つ。
【発明の効果】
【００１６】
この発明の方法による印刷面は、一方向に色調が変化する。その色調変化は単純な色濃度の変化ではなく、色彩の変化を伴う。例えば、基材の一端側と他端側では印刷面色が異なるものになる。また、その色彩の変化が観察角度や印刷面に対する光の当り具合の変化によっても起こり、美しくて変化に富んだ印象を与える面となる。
【００１７】
これにより、得られるグラデーション印刷物が美しくて高級感のあるものになり、その印刷を施したパッケージや筐体などを採用した製品の価値観が高まる。
【図面の簡単な説明】
【００１８】
【図１】この発明の方法で印刷した印刷物の一例の一部を示す断面図
【図２】この発明の方法で印刷した印刷物の他例の一部を示す断面図
【図３】網点印刷の印刷パターンの一例を示す平面図
【図４】網点印刷用インクに添加された顔料の断面模式図
【図５】蒸着紙をブランク材にして形成された包装用パッケージの一例を示す斜視図
【発明を実施するための形態】
【００１９】
以下、添付図面の図１〜図５に基づいて、この発明のグラデーション印刷方法とその方法で得られるグラデーション印刷物の実施の形態を説明する。
【００２０】
図１及び図２の１は、基材である。ここで用いたその基材１は、表面に金属の蒸着膜が施された蒸着紙である。この基材１の表面には、色インキからなる下地印刷層２がオフセット印刷するなどして設けられている。その下地印刷層２は、蒸着面が透けて見える層になっており、下地のきらきら感が生かされる。
【００２１】
この下地印刷層２を有色下地面３として、その上に、観察角度によって色彩変化を生じるインキを用いて網点印刷（シルクスクリーン印刷）を行う。符合４が網点印刷層である。
【００２２】
下地印刷層２の印刷に利用するインキは、ＵＶインキが、乾燥・硬化が速くて生産性の面で有利である。下地印刷層２は、基材１が着色樹脂からなる場合には、図２に示すように、その基材１の表面を有色下地面３としてその上に直接、網点印刷を行うことができる。従って、この下地印刷層２は必須ではない。
【００２３】
網点印刷に利用するインキ、即ち、観察角度によって色彩変化を生じるインキは、例えば、東南インキ株式会社製のチェンジゴールド（東南インキ社商標）がある。
【００２４】
市販されているそのインキは、観察角度によって風合いが赤金〜中金〜青金に変化するもの、黄緑〜青緑に変化するもの、青紫〜赤紫に変化するもの、ピンク〜赤金に変化するもの、金、緑、紫、ピンクのそれぞれの色が緩やかに偏光するものなどがある。
【００２５】
このチェンジゴールドと称されているインキは、図５に示すように、微細なアルミニウム粒子１１の表面に透明なシリカのコーティング層１２を設け、さらに、その上に銀（Ａｇ）の層１３と半透明の着色層１４を重ねた４層構造の高輝度干渉アルミの粒子を顔料１０として用いたものである。着色層１４は、各部の膜厚を微妙に変えており、それによって観察角度によって色の変化が生じる。
【００２６】
その顔料１５は、平均粒子径が２０μｍ、顔料の厚さが１μｍ程度のものであって、スクリーン印刷用のインキに添加して基材の表面に印刷することができる。
【００２７】
基材１は、蒸着紙に限定されない。普通紙、金属箔、樹脂のシート、樹脂フィルム、金属板、樹脂や金属で形成された筐体など、多様なものにこの発明のグラデーション印刷を施すことができる。
【００２８】
蒸着紙、普通紙、樹脂シート、或いは、そのようなものを素材とするパッケージ用のブランク材、ＣＤ、ＤＶＤ、樹脂や金属で形成された各種電子機器類（例えば、携帯電話、携帯情報端末機器、ＰＣなど）や電気製品の筐体などもここで言う基材となし得る。
【００２９】
この発明での網点印刷は、図３に示すように、網点印刷層４が占める面積の割合が一方向に変化し、その変化によって有色下地面３の露出面積が一方向に漸減又は漸増するように行う。
【００３０】
図３では、網点印刷層４の占有面積が印刷面の上から下に向って漸増している。網点の中心間ピッチは、図において縦方向、横方向ともに一定しており、網点の大きさが印刷面の上から下に向って大きくなることで占有面積の漸増が生じている。
【００３１】
その網点印刷層４の占有面積と有色下地面３の露出面積の割合が印刷面の上下方向の中間点付近で半々になり、その後、網点印刷層４と有色下地面３の面積の比が逆転して中間点よりも下側では網点印刷層４の占有面積が５０％を上回る状態になっている。
【００３２】
なお、網点印刷に用いるスクリーン版（マスク）は、試験印刷で１００メッシュのものを使用した結果、支障の無い印刷が可能であることを確認できた。また、網点印刷層の膜厚は、通常は４０μｍであるが、この発明では、上記顔料（高輝度干渉アルミの粒子）を添加した特殊なインキを使用するので、その膜厚は厚くするのがよく、７０μｍもあれば効果的な印刷層が得られることを確認した。
【００３３】
このように、観察角度によって色彩変化を生じるインキを用いて有色下地面３との面積比がグラデーション方向に変動する網点印刷を行うことで、色調と色彩が一方向に共に変化し、しかも、色彩の変化が観察角度や印刷面に対する光の当り具合の変化によっても起こる印刷面を得ることができる。
【００３４】
この発明の印刷方法では、網点印刷層が占める面積の割合が一方向に変化するように網点印刷を行うことで、観察角度が変化した場合は勿論、その観察角度が固定された状態でも一方向の色調変化と色彩変化を生じさせることができる。
【００３５】
前述のチェンジゴールドを用いてべた刷りを行った印刷面は、観察角度による色彩変化は起こるが、グラデーション（一方向の色調変化と色彩変化）は生じない。この相違によって、得られる印刷物の美観がさらに高まり、看者に好印象を与えることが可能になる。
【００３６】
蒸着紙を基材としてその基材上に前述の下地印刷層と網点印刷層を設けた台紙をブランク材にし、そのブランク材を必要な形状に裁断後組立てて作られた包装用パッケージの一例を図５に示す。
【００３７】
図示の包装用パッケージ２０は、筒状胴部２１の下縁に下蓋パネル（図示せず）とその下蓋パネルの内側に折り込まれるフラップ（これも図示せず）を連設し、さらに、筒状胴部２１の上縁に上蓋パネル２２とその上蓋パネルの内側に折り込まれるフラップ２３を連設してなる。
【００３８】
ありふれた構造の包装用パッケージであるが、表面にこの発明の方法で美観に優れるグラデーション印刷を施しており、品が良くて、高級感があって人目を引きやすいものになっている。従って、化粧品などの包装陳列用などに利用すると高いＰＲ効果を期待できる。
【００３９】
なお、この発明を適用するパッケージなどは、表面に印刷ができるものであればよく、形状や構造は特に問わない。
【符号の説明】
【００４０】
１          基材
２          下地印刷層
３          有色下地面
４          網点印刷層
１０        顔料
１１        アルミニウム粒子
１２        酸化防止剤のコート層
１３        銀の層
１４        着色層
２０        包装用パッケージ
２１        筒状胴部
２２        上蓋パネル
２３        フラップ
【図１】
2014000749.tif 000003
【図２】
2014000749.tif 000004
【図３】
2014000749.tif 000005
【図４】
2014000749.tif 000006
【図５】
2014000749.tif 000007